(57)【要約】【課題】サムネイル画像の概要（手書き文書画像／電子文書画像）を識別可能とし、サムネイル画像の視認性を向上させる。【解決手段】操作表示装置１１０の指示により、ＨＤＤ１０５の蓄積装置に蓄積された画像データを選択し、選択された画像に対し、操作表示装置１１０の属性判定部は、属性を判定し、判定結果が例えば手書き文書画像である場合は、画像編集部は、手書き文書画像に背景色を付ける画像編集を行い、編集された画像の一覧表示を行う。【選択図】図１
2011254138.tif 000002
【特許請求の範囲】
【請求項１】
画像を入力する画像入力手段と、前記入力された画像を蓄積する画像蓄積手段と、前記蓄積された画像の属性を判定する属性判定手段と、前記判定された画像の属性に応じて画像を編集する画像編集手段と、前記編集された画像を一覧表示する画像表示手段とを備え、前記画像編集手段は、前記判定された画像の属性に応じて、前記画像表示手段に表示される画像に対して背景色を付加することを特徴とする画像処理装置。
【請求項２】
前記蓄積された画像の色相を判別する色相判別手段を備え、前記蓄積された画像の色相と前記背景色の色相が同一と判定された場合、前記背景色を変更することを特徴とする請求項１記載の画像処理装置。
【請求項３】
前記背景色の変更は、一覧表示の対象となる、属性が同一の画像に対して行うことを特徴とする請求項２記載の画像処理装置。
【請求項４】
前記画像編集手段は、前記判定された画像の属性に応じて、異なる背景色を付加することを特徴とする請求項１記載の画像処理装置。
【請求項５】
前記背景色の種類が所定数を超えた場合、画像の属性と背景色との対応関係を表示することを特徴とする請求項４記載の画像処理装置。
【請求項６】
前記画像編集手段は、前記表示される画像の背景色の一部を変更することを特徴とする請求項１記載の画像処理装置。
【請求項７】
前記画像の属性は、手書き文書であることを特徴とする請求項１記載の画像処理装置。
【請求項８】
前記画像の属性は、所定の原稿サイズであることを特徴とする請求項１記載の画像処理装置。
【請求項９】
前記画像の属性は、白紙原稿であることを特徴とする請求項１記載の画像処理装置。
【請求項１０】
画像を入力する画像入力工程と、前記入力された画像を蓄積する画像蓄積工程と、前記蓄積された画像の属性を判定する属性判定工程と、前記判定された画像の属性に応じて画像を編集する画像編集工程と、前記編集された画像を一覧表示する画像表示工程とを備え、前記画像編集工程は、前記判定された画像の属性に応じて、前記画像表示工程に表示される画像に対して背景色を付加することを特徴とする画像処理方法。
【請求項１１】
請求項１０記載の画像処理方法をコンピュータに実現させるためのプログラム。
【請求項１２】
請求項１０記載の画像処理方法をコンピュータに実現させるためのプログラムを記録したコンピュータ読み取り可能な記録媒体。
【発明の詳細な説明】
【技術分野】
【０００１】
本発明は、サムネイル画像の視認性を向上させた画像処理装置、画像処理方法、プログラムおよび記録媒体に関する。
【背景技術】
【０００２】
サムネイル画像は、通常視認性が悪い。その理由として、複数頁ある文書の場合、１頁目のみサムネイル表示される点、サムネイル化によって文書画像が小さく表示され、所望の文書であるか判別が難しい点、サムネイル対象画像には、文字原稿や写真原稿があるが、文字原稿を見やすくする（例えば原稿自体を拡大する）と写真原稿の一部のみ拡大表示され、写真原稿の視認性が悪くなり、逆に、写真原稿を見やすくする（例えば写真全体を表示する）と文字原稿の文字サイズ自体が小さくなり、文字原稿の視認性が悪くなるという点などが挙げられる。
【０００３】
そこで、複数頁ある文書の場合、サムネイル表示部の空きスペースを利用して２頁目以降を表示する技術（特許文献１）、所望の文書であるかを確認するため、他のサムネイル画像に編集作業を加えず、かつ、指定した文書のみ拡大する技術（特許文献２）、文字文書と写真文書が混在したサムネイル表示の場合、文書データに応じて縮小率を変化させて表示する技術（特許文献３）などがある。
【発明の概要】
【発明が解決しようとする課題】
【０００４】
サムネイル画像の視認性が悪い他の理由として、サムネイル画像と内容が似ている文書画像がある場合に、それを識別することが難しいということもある。例えば、電子文書か手書き文書か、原稿サイズが所定のサイズであるか否か、原稿が白紙であるか否かを、サムネイル画像で識別することが難しい場合がある。その結果、レイアウトや見た目が類似している文書を誤ってプリント出力することになりミスコピーが発生する。
【０００５】
本発明は上記した課題に鑑みてなされたもので、
本発明の目的は、サムネイル画像の概要（例えば、手書き文書画像か電子文書画像かなど）を識別可能とし、サムネイル画像の視認性を向上させた画像処理装置、画像処理方法、プログラムおよび記録媒体を提供することにある。
【課題を解決するための手段】
【０００６】
本発明は、画像を入力する画像入力手段と、前記入力された画像を蓄積する画像蓄積手段と、前記蓄積された画像の属性を判定する属性判定手段と、前記判定された画像の属性に応じて画像を編集する画像編集手段と、前記編集された画像を一覧表示する画像表示手段とを備え、前記画像編集手段は、前記判定された画像の属性に応じて、前記画像表示手段に表示される画像に対して背景色を付加することを最も主要な特徴とする。
【発明の効果】
【０００７】
本発明によれば、サムネイル画像を識別し、識別結果に応じて背景色や枠の色を変更（ＭＦＰ機能のアンダーカラー処理）しているので、サムネイル画像の視認性を向上させることができる。
【図面の簡単な説明】
【０００８】
【図１】本発明に係る画像処理装置（ＭＦＰ）の全体構成を示す。
【図２】第１の画像処理部の構成例を示す。
【図３】基準チャートを示す。
【図４】第２の画像処理部の構成例を示す。
【図５】サムネイル画像の一覧表示画面を示す。
【図６】実施例１の操作表示装置の構成を示す。
【図７】実施例１の操作表示装置の処理手順を示す。
【図８】実施例２の操作表示装置の構成を示す。
【図９】実施例２の背景色決定テーブル、実施例３の背景色対応テーブルを示す。
【図１０】実施例２の操作表示装置の処理手順を示す。
【発明を実施するための形態】
【０００９】
以下、発明の実施の形態について図面により詳細に説明する。本発明は、サムネイル画像の概要（例えば、電子文書画像か／手書き文書画像かなどの大分類）の把握を可能とし、サムネイル画像の視認性を向上させる処理として、サムネイル画像を識別し、識別結果に応じて背景色や枠の色を変更する。
【実施例１】
【００１０】
図１は、本発明に係る画像処理装置（ＭＦＰ）の全体構成を示す。ＭＦＰは、図１に示すように、読取り装置１０１と、第１の画像処理部１０２と、バス制御装置１０３と、第２の画像データ処理部１０４と、ＨＤＤ１０５と、ＣＰＵ１０６と、メモリ１０７と、プロッタＩ／Ｆ装置１０８と、プロッタ装置１０９と、操作表示装置１１０と、回線Ｉ／Ｆ装置１１１と、外部Ｉ／Ｆ装置１１２と、Ｓ．Ｂ．１１３と、ＲＯＭ１１４と、汎用バス１１５等を備えている。このＭＦＰは、外部装置であるＦＡＸ１１６やＰＣ１１７とデータ通信可能に構成されている。
【００１１】
読取り装置１０１は、ＣＣＤ光電変換素子からなるラインセンサとＡ／Ｄコンバータとそれら駆動回路を具備し、セットされた原稿をスキャンして得られる原稿の濃淡情報に基づいて、ＲＧＢ各８ビットのデジタル画像データを生成して第１の画像処理部１０２に出力する。本実施例では、読取り解像度６００ｄｐｉとするが、解像度はこれに限るものではない。
【００１２】
第１の画像処理部１０２は、読取り装置１０１から入力されるデジタル画像データに対して、コピー機能、配信スキャナ機能、ＦＡＸ機能のいずれのアプリケーションプログラムを使用しても最適化して出力できるよう、再利用に適した形で画像処理を施して出力する。この画像データは、画像処理装置の内部に蓄積され、その後再利用する場合に、出力先に応じた特性に最適化されて出力される。
【００１３】
バス制御装置１０３は、画像処理装置内で必要な画像データや制御コマンド等の各種データの送受信を行うデータバスの制御装置であり、複数種のバス規格間のブリッジ機能を有している。本実施例では、バス制御装置１０３は、第１の画像処理部１０２、第２の画像処理部１０４、ＣＰＵ１０６とはＰＣＩ−Ｅｘｐｒｅｓｓバスで接続し、また、ＨＤＤ１０５とはＡＴＡバスで接続してＡＳＩＣ化されている。
【００１４】
第２の画像処理部１０４は、第１の画像処理部１０２で再利用に適した形に変更されたデジタル画像データに対し、ユーザーから指定される出力先に適した画像処理を施して出力する。ＨＤＤ（蓄積装置）１０５は、デジタル画像データおよびデジタル画像データの付帯情報を蓄積する。
【００１５】
ＣＰＵ１０６は、画像処理装置の制御全体を司るマイクロプロセッサであり、またＨＤＤ１０５のリード／ライトを制御し、ＨＤＤ１０５の残容量等を検出する。
【００１６】
メモリ１０７は、複数種のバス規格間をブリッジする際の速度差や、接続された部品自体の処理速度差を吸収するために、一時的にデータを記憶し、ＣＰＵ１０６が本画像処理装置の制御を行う際に、プログラムや中間処理データを一時的に記憶する揮発性メモリである。ＣＰＵ１０６は、高速処理が求められるため、通常起動時にＲＯＭ１１４に記憶されたブートプログラムにてシステムを起動し、その後は高速にアクセス可能なメモリに展開されたプログラムによって処理を行う。
【００１７】
プロッタＩ／Ｆ装置１０８は、ＣＰＵ１０６にインテグレートされた汎用規格Ｉ／Ｆを経由して送出されてくるＣＭＹＫのデジタル画像データを受け取ると、プロッタ装置１０９の専用Ｉ／Ｆに出力するバスブリッジ処理を行う。
【００１８】
プロッタ装置１０９は、ＣＭＹＫからなるデジタル画像データを受け取ると、レーザービームを用いた電子写真プロセスを使用して、転写紙に受け取った画像データを出力する。Ｓ．Ｂ．１１３は、Ｓｏｕｔｈ  Ｂｒｉｄｇｅと呼ばれる汎用の電子デバイスであり、バス１１５とＲＯＭ１１４との間をブリッジしている。ＲＯＭ１１４は、ＣＰＵ１０６がＭＦＰの制御を行う際のプログラム（ブートプログラムを含む）が格納されるメモリである。
【００１９】
操作表示装置１１０は、ＭＦＰとユーザーのインターフェースを行う部分であり、ＬＣＤ（液晶表示装置）とキースイッチから構成され、装置の各種状態や操作方法をＬＣＤに表示し、ユーザーからのキースイッチ入力を検知する。本実施例では、ＰＣＩ−Ｅｘｐｒｅｓｓバスを介してＣＰＵ１０６と接続されている。回線Ｉ／Ｆ装置１１１は、ＰＣＩ−Ｅｘｐｒｅｓｓバスと電話回線を接続する装置であり、電話回線を介して各種データの送受信を行う。ＦＡＸ１１６は、通常のファクシミリであり、電話回線を介してＭＦＰと画像データの送受信を行う。外部Ｉ／Ｆ装置１１２は、ＰＣＩ−Ｅｘｐｒｅｓｓバスと外部装置を接続する装置であり、この装置により本画像処理装置（ＭＦＰ）は外部装置と各種データのやり取りを行うことが可能になる。本実施例では、その接続Ｉ／Ｆにネットワークを使用し、ＭＦＰは、外部Ｉ／Ｆ装置１１２を介してネットワークに接続されている。ＰＣ１１７はパーソナルコンピュータであり、インストールされたアプリケーションソフトやドライバを介して、ユーザーは画像処理装置（ＭＦＰ）に対して各種制御や画像データの入出力を行う。
【００２０】
以下、画像処理装置のコピー動作、スキャナ配信動作、画像蓄積動作、コピー動作／スキャナ配信動作＋画像蓄積動作の概略を説明する。
【００２１】
（コピー動作）
ユーザーは読取り装置１０１に原稿をセットし、所望するモード等の設定とコピー開始の入力、拡大／縮小の倍率、転写紙のサイズ設定などを操作表示装置１１０により行う。操作表示装置１１０は、ユーザーから入力された情報（コピーモード等）を、機器内部の制御コマンドデータに変換して発行する。発行された制御コマンドデータは、バスを介してＣＰＵ１０６に通知される。ユーザーは、出力画像の強調や平滑化、あるいは画像の彩度、色味を変更などの画像編集処理の指示を、操作表示装置１１０を通じて行う。その他、原稿に忠実に出力する場合や、原稿よりも文字を鮮明に出力する場合、あるいは原稿の色味を変更してより鮮やかに出力する場合もあり、画像編集により得られる画像は様々である。
【００２２】
ＣＰＵ１０６はコピー開始の制御コマンドデータに従って、コピー動作プロセスのプログラムを実行し、コピー動作に必要な設定や動作を実行する。
【００２３】
まず、読取り装置１０１で原稿をスキャンして得られるＲＧＢ各８ビットのデジタル画像データ（以下、ＲＧＢ画像データ）は、第１の画像処理部１０２で所定のモードに応じて予め定められた特性に変換される。すなわち、蓄積後の再利用に適した特性の画像に変換され、バス制御装置１０３に送られる。バス制御装置１０３は、第１の画像処理部１０２から入力されるＲＧＢ画像データを、ＣＰＵ１０６を介してメモリ１０７に蓄積する。メモリ１０７に蓄積されたＲＧＢ画像データ及び付帯情報は、ＣＰＵ１０６およびバス制御装置１０３を介して、第２の画像処理部１０４に送られる。
【００２４】
第２の画像処理部１０４は、ＲＧＢ画像データを、プロッタ出力用のＣＭＹＫ画像データに変換して、バス制御装置１０３に出力する。但し、コピーモードとして白黒コピーモードが指定された場合や、ＡＣＳモードで白黒原稿と判定された場合はＣＭＹＫ画像データではなく、Ｋ単色の画像データに変換してバス制御装置１０３に出力する。バス制御装置１０３は、第２の画像処理部１０４から入力されるＣＭＹＫまたはＫ単色画像データを、ＣＰＵ１０６を介してメモリ１０７に蓄積する。
【００２５】
メモリ１０７に蓄積されたＣＭＹＫまたはＫ単色画像データは、ＣＰＵ１０６およびプロッタＩ／Ｆ装置１０８を介して、プロッタ装置１０９に送られ、プロッタ装置１０９は、ＣＭＹＫまたはＫ単色画像データを転写紙に出力し、原稿のコピーが生成される。
【００２６】
（スキャナ配信動作）
ユーザーは原稿を読取り装置１０１にセットし、所望するモード等の設定とスキャナ配信開始の入力を操作表示装置１１０により行い、また配信画像の解像度、読み取る範囲指定などを行う。操作表示装置１１０はユーザーから入力された情報を、機器内部の制御コマンドデータに変換し発行し、発行された制御コマンドデータはバスを介してＣＰＵ１０６に通知される。ユーザーは操作表示装置１１０から、前述のコピー動作と同様に、出力画像に対する種々の画像編集を指示する。
【００２７】
ＣＰＵ１０６は、スキャナ配信開始の制御コマンドデータに従って、スキャナ配信動作プロセスのプログラムを実行し、スキャナ配信動作に必要な設定や動作を実行する。
【００２８】
読取り装置１０１で原稿をスキャンして得られたＲＧＢ画像データは、第１の画像処理部１０２で所定のモードに応じて予め定められた特性に変換される。すなわち、蓄積後の再利用に適した特性の画像に変換され、バス制御装置１０３に送られ、バス制御装置１０３は、第１の画像処理部１０２から入力されるＲＧＢ画像データを、ＣＰＵ１０６を介してメモリ１０７に蓄積する。メモリ１０７に蓄積されたＲＧＢ画像データ及び付帯情報は、ＣＰＵ１０６およびバス制御装置１０３を介して、第２の画像処理部１０４に送られる。
【００２９】
第２の画像処理部１０４は入力されるＲＧＢ画像データを、スキャナ配信用の画像データ（ＲＧＢ多値、グレースケール、モノクロ２値等）に変換してバス制御装置１０３に出力する。特にＡＣＳモードの場合は、カラー原稿と判定された場合はＲＧＢ多値の画像データに変換し、ＪＰＥＧ圧縮を行い、モノクロ原稿と判定された場合はモノクロ２値画像に変換した後に、ＭＭＲ圧縮を行ってＴＩＦＦファイルを生成する。モノクロ原稿と判定された場合は、グレースケール多値画像に変換して、ＪＰＥＧ圧縮を行ってもよい。
【００３０】
バス制御装置１０３は、第２の画像処理部１０４から入力される画像データ及び付帯情報を、ＣＰＵ１０６を介してメモリ１０７に蓄積する。メモリ１０７に蓄積された画像データは、ＣＰＵ１０６を介して、外部Ｉ／Ｆ装置１１２に送られ、外部Ｉ／Ｆ装置１１２は、入力される画像データを、ネットワークを介して接続されるＰＣ１１７に送信する。
【００３１】
（画像蓄積動作）
本画像処理装置（ＭＦＰ）は、コピー動作やスキャナ配信動作を行うことなく、画像蓄積のみを行うこともできる。ユーザーは原稿を読取り装置１０１にセットし、所望するモード等の設定と画像読み取りの指示を操作表示装置１１０により行う。また、画像蓄積のみを行う場合も、前述したコピー動作と同様に、操作表示装置１１０により画像編集を実行できる。
【００３２】
画像蓄積を行う場合は、蓄積後に多種多様な目的で再利用できるように、汎用的な条件で、すなわち常に等倍読み取りで原稿全体を読み取っておく。操作表示装置１１０はユーザーから入力された情報を、機器内部の制御コマンドデータに変換し発行する。発行された制御コマンドデータはバスを介してＣＰＵ１０６に通知される。ＣＰＵ１０６は、画像蓄積開始の制御コマンドデータに従って、画像蓄積動作プロセスのプログラムを実行し、画像蓄積動作に必要な設定や動作を順に行う。
【００３３】
読取り装置１０１で原稿をスキャンして得られたＲＧＢ画像データは、第１の画像処理部１０２で所定のモードに応じて予め定められた特性に変換される。すなわち、蓄積後の再利用に適した特性の画像に変換され、バス制御装置１０３に送られ、バス制御装置１０３は、第１の画像処理部１０２から入力されるＲＧＢ画像データ及び付帯情報を受け取ると、それらはＨＤＤ１０５に蓄積される。
【００３４】
（コピー動作／スキャナ配信動作＋画像蓄積動作）
本画像処理装置は、コピー動作と画像蓄積動作を同時に行うことができる。コピー動作では、バス制御装置１０３が、第１の画像処理部１０２から入力されるＲＧＢ画像データを、ＣＰＵ１０６を介してメモリ１０７に蓄積し、メモリ１０７に蓄積されたＲＧＢ画像データ及び付帯情報は、ＣＰＵ１０６およびバス制御装置１０３を介して、第２の画像処理部１０４に送られる。このとき、ＣＰＵ１０６を介してメモリ１０７に送られてくるＲＧＢ画像データ及び付帯情報と同一のものを、ＣＰＵ１０６及びバス制御装置１０３を介してＨＤＤ１０５に送出され、ＨＤＤ１０５内に蓄積される。これにより、コピー動作と画像蓄積動作を同時に行うことができる。同様にして、スキャナ配信動作の場合も、第１の画像処理部１０２から入力されるＲＧＢ画像データ及び付帯情報をメモリ１０７に送出されるとともに、ＣＰＵ１０６及びバス制御装置１０３を介してＨＤＤ１０５へ蓄積されることにより、スキャナ配信動作と画像蓄積動作を同時に行うことができる。
【００３５】
（蓄積画像の再利用）
本画像処理装置（ＭＦＰ）に蓄積された画像データ及び付帯情報は、画像蓄積時から時間が経過した場合でも、再利用することができる。ユーザーは操作表示装置１１０から、どのような画像が蓄積されているかを確認する。操作表示装置１１０は、閲覧した時点で蓄積されている画像のファイル名、日時、サムネイル画像を表示できる機能があり、ユーザーが確認することができる。ユーザーは、再利用したい画像を選択し、さらに所望するモード等の設定入力を操作表示装置１１０により行う。ここでは、紙出力や電子ファイルのスキャナ配信を選択できる。その他、ＦＡＸ送信などのＭＦＰが提供している機能の多くで再利用が可能である。
【００３６】
再利用が電子ファイルのスキャナ配信ならば、再利用時でないスキャナ配信の処理で説明したように、ユーザーは操作表示装置１１０により配信画像の解像度、読み取る範囲指定などを行う。操作表示装置１１０はユーザーから入力された情報を、機器内部の制御コマンドデータに変換し発行する。発行された制御コマンドデータはバスを介してＣＰＵ１０６に通知され、ＣＰＵ１０６は、再利用時のスキャナ配信開始の制御コマンドデータに従って、スキャナ配信動作プロセスのプログラムを実行し、スキャナ配信動作に必要な設定や動作を順に行う。
【００３７】
すなわち、再利用時は、第１の画像処理部１０２における処理が終了した画像データが蓄積されているため、ＣＰＵ１０６は該当する画像データを読み出す指示をバス制御装置１０３に送る。バス制御装置１０３は、ＨＤＤ１０５から読み出されたＲＧＢ画像データ及び付帯情報を、ＣＰＵ１０６を介して第２の画像処理部１０４に送る。その後の処理は前述した単体のスキャナ配信時と同一の処理となる。
【００３８】
ここでは、蓄積データをスキャナ配信のために再利用する例を説明したが、紙出力のために蓄積データを再利用することもできる。その場合は、前述したスキャナ配信のための再利用とほぼ同一の処理となる。第２の画像処理部１０４に送られた後の処理は、前述したコピー動作と同一の処理となる。
【００３９】
以下では、画像処理装置における画像蓄積動作及びその蓄積画像の再利用について詳細に説明する。
【００４０】
ユーザーは読取り装置１０１に原稿をセットし、所望するモード等の設定とコピー開始の入力、拡大／縮小の倍率、画像のシャープ／ソフト度合い、色調整の有無、などを操作表示装置１１０により行う。操作表示装置１１０は、ユーザーから入力された情報（コピーモード等）を、機器内部の制御コマンドデータに変換して発行する。ここでは、ＡＣＳモードでＡ３サイズの原稿を画像蓄積する設定とする。出力画像のシャープ／ソフト度合いは中間程度とし、特別な色調整はしない（基本的に原稿忠実であり、ユーザーが最も使用する頻度が高い設定）。発行された制御コマンドデータは、バスを介してＣＰＵ１０６に通知され、ＣＰＵ１０６は画像蓄積の制御コマンドデータに従って、画像蓄積動作プロセスのプログラムを実行し、画像蓄積動作に必要な設定や動作を実行する。
【００４１】
前述の通り、読取り装置１０１で原稿をスキャンして得られるＲＧＢ画像データは、第１の画像処理部１０２で所定のモードに応じて予め定められた特性に変換される。すなわち、蓄積後の再利用に適した特性の画像に変換され、バス制御装置１０３に送られる。
【００４２】
図２は、図１の第１の画像処理部１０２の構成例を示す。第１の画像処理部１０２は、像域分離部２０１、第１のカラー原稿判定部２０２、γ変換部２０３、第１のフィルタ処理部２０４、第１の色変換処理部２０５、画像圧縮部２０６を備えている。
【００４３】
像域分離部２０１は、読取り装置１０１から入力されるＲＧＢ画像データに基づいて、原稿の文字／絵柄領域、有彩／無彩領域を判別して、像域分離結果を第１のフィルタ処理部２０４に出力する。第１のカラー原稿判定部２０２は、原稿がカラー原稿であるかモノクロ原稿であるかを判別する。像域分離部２０１及び第１のカラー原稿判定部２０２における判別方法としては、例えば特許第３９８３１０１号公報に記載の色判定部の判別手法を用いればよい。その詳細な説明を省略する。
【００４４】
γ変換部２０３は、読取り装置１０１から入力されるＲＧＢ画像データに対して、所定のモードに応じてその明るさを予め定められた特性に統一して第１のフィルタ処理部２０４に出力する。本実施例では、例えば、明度リニアな特性に変換する。第１のフィルタ処理部２０４は、入力されるＲＧＢ画像データに対して、その鮮鋭性を所定のモードに応じて予め定められた特性に統一して第１の色変換処理部２０５に出力する。
【００４５】
本実施例では、例えば図３に示すような基準チャートをスキャンしたときに、線数毎に予め定められたＭＴＦ特性値になるように変換する。また、このＭＴＦ特性値の補正に際しては、文字部と絵柄部とでは要求される特性値が異なるため、文字部／絵柄部の各々に対して補正を行う。したがって、像域分離部２０１で判別された文字／絵柄の判別結果に応じて、適切なフィルタ処理がなされる。
【００４６】
第１の色変換処理部２０５は、入力されるＲＧＢ画像データに対して、その色を予め定めた特性に統一して画像圧縮部２０６に出力する。本実施例では、例えば、色空間がＡｄｏｂｅ（登録商標）−ＲＧＢ色空間になるように変換する。画像圧縮部２０６は、第１の色変換処理後のＲＧＢ画像データに対して、ＣＰＵ１０６からバス制御装置１０３を介して入力されるＨＤＤ１０５の付帯情報（残容量情報）に基づいてその圧縮率を変更して圧縮画像データを生成する。
【００４７】
図１に戻り、バス制御装置１０３は、第１の画像処理部１０２からの画像データと画像データの付帯情報（像域分離結果やＡＣＳ判定結果）を受け取ると、ＣＰＵ１０６を介してメモリ１０７に蓄積する。メモリ１０７に蓄積したデータは、ＣＰＵ１０６およびバス制御装置１０３を介して、ＨＤＤ１０５に送信され、ＨＤＤ１０５内に蓄積・保存される。この後、前述したように、メモリ１０７のＲＧＢ画像データは、第２の画像処理部１０４で画像処理された後、プロッタ装置１０９に出力され、原稿のコピーが生成されるが、ＡＣＳモードである場合は、第２の画像処理部１０４に画像データが送出される前に、ＣＰＵ１０６が、該当画像がカラー原稿であるかモノクロ原稿であるかを判別して、第２の画像処理部１０４の処理を切り替える。
【００４８】
続いて、この蓄積画像を再利用して紙出力をする場合を考える。この時、ユーザーは操作表示装置１１０から、どのような画像が蓄積されているかを確認する。操作表示装置１１０は、閲覧した時点で蓄積されている画像のファイル名、日時、サムネイル画像などを表示できる機能があり、ユーザーが確認できるようになっている。ユーザーは、再利用したい画像を選択し、さらに所望するモード設定などの入力を操作表示装置１１０により行う。この時は、ＨＤＤドライブから画像データ及び付帯情報を読み出した上で、第２の画像処理部１０４で処理が実施される。
【００４９】
以下に、第２の画像処理部の動作を詳細に説明する。図４は、図１の第２の画像処理部１０４の構成例を示す。第２の画像処理部１０４は、画像伸張部３０１、第２のカラー原稿判定部３０２、第２のフィルタ処理部３０３、第２の色変換処理部３０４、解像度変換部３０５、γ変換部３０６、中間調処理部３０７、フォーマット変換部３０８を備えている。画像伸張部３０１は、第１の画像処理部１０２で圧縮された画像を伸張する。第２のカラー原稿判定部３０２は、第１の画像処理部１０２において所定の処理が施されて蓄積された画像が、カラー原稿であるかモノクロ原稿であるかを判別する。この第２のカラー原稿判定部３０２の判定結果は、第２の色変換処理部３０４に通知される。
【００５０】
第２のフィルタ処理部３０３は、プロッタ装置１０９に出力する場合の再現性が良くなるように、ＲＧＢ画像データの鮮鋭性を補正する。具体的には、画像データの付帯情報である像域分離結果を参照して鮮鋭化／平滑化処理を施す。例えば、文字領域では文字をくっきりとさせ判読性を高めるために強調処理を行い、絵柄領域では画像を滑らかにするために平滑化処理を行う。第１の画像処理部１０２における第１のフィルタ処理部２０４は再利用性を高めるために、線数毎に予め定めたＭＴＦ特性値になるように変換するものであるのに対し、第２の画像処理部１０４における第２のフィルタ処理部３０３は、利用者の出力用途（紙出力、電子出力…）に応じて最適な出力画像となるような周波数特性空間への変換を行うための処理を行う。
【００５１】
第２の色変換処理部３０４は、ＲＧＢ各８ビットの画像データを受け取るとプロッタ装置１０９用の色空間であるＣＭＹＫ各８ビットの画像データあるいは、Ｋ単色の８ビット画像データに変換する。ＡＣＳモードの場合は、第１のカラー原稿判定部２０２と第２のカラー原稿判定部３０２のそれぞれの判定結果に応じて、最終的な属性がカラー原稿と判定された場合はＣＭＹＫ画像データに変換し、最終的にモノクロ原稿と判定された場合はＫ単色に変換する。この操作表示装置１１０の設定例では、第２のカラー原稿判定部３０２の判定結果に従っていずれかの変換を実施する。
【００５２】
解像度変換部３０５は、画像の拡大／縮小を行うときに解像度を変換する。γ変換部３０６は、画像が出力される出力先の特性に応じて画像の階調特性を変換するものであり、プロッタ装置１０９を通じてコピーを行う場合は、出力画像の階調性を良好に保てるようにプロッタ装置１０９の出力特性を考慮して変換を行う。中間調処理部３０７は、ＣＭＹＫ各８ビットの画像データあるいはＫ単色の８ビット画像データを受け取ると、プロッタ装置１０９の階調処理能力に従った階調数変換処理を行う。例えば、疑似中間調処理の一つである誤差拡散法を用いて、ＣＭＹＫあるいはＫ各２ビットの画像データに階調数を変換する。多値画像を出力する場合には、中間調処理部３０７では処理を行わない。フォーマット変換部３０８は、用途に応じてＪＰＥＧ圧縮やＭＭＲ圧縮などを行い、ＰＤＦファイルを作成するが、紙出力時には何の処理もせずに後段に画像データを送る。
【００５３】
次に、サムネイル画像を表示する機能について説明する。操作表示装置１１０からの指示によって、ＨＤＤ１０５に蓄積された画像データを操作表示装置１１０に一覧表示する。図５は、一覧表示画面を示す。
【００５４】
サムネイル表示は、画像を検索し、一覧表示を行う際に用いられ、複数のサムネイル画像が一覧表示画面に収まらない場合は、スクロールバーやページ送り／戻し機能、拡大／縮小を行って表示する。図５（ａ）は、手書き文書画像に目印（黒い四角）を付けたサムネイル画像一覧を示し、図５（ｂ）は、手書き文書画像に背景色をつけたサムネイル画像一覧を示す。
【００５５】
図５（ａ）、（ｂ）に示す例では、サムネイル画像が８枚表示され、サムネイル０２、０８は手書き文書（原稿）画像、サムネイル０１、０３〜０７は電子文書画像を示す。
【００５６】
図５（ａ）のサムネイル０２、０８の画像左上には、後述する手書き文書画像か否かの判定により、手書き文書画像であると判定された印として、目印（黒い四角）を付加した例である。しかし、この例では、画像中央部に表示されている画像の内容に、上記した目印と同様の目印が表示されている場合には、画像左上（サムネイル０２、０８）に、手書き文書画像である目印が付加されているにも関わらず、識別が難しく、視認性が悪い例であることを示す。また、目印が文書の内容（画像タイトル：サムネイル０２やサムネイル０８）を隠す場合があり、表示内容の確認が難しく、視認性が悪い例を示している。そのような場合、目印を小さくすることで文書の内容が隠れないようにすると、目印自体の視認性が悪くなる。
【００５７】
そこで、本実施例では、図５（ｂ）に示すように、サムネイル０２、０８の画像全体に対して、後述する手書き文書画像か否かの判定によって、手書き文書画像であると判定された印として、背景色付加機能を使用して、背景色を付加する。図５（ｂ）に示すように、図５（ａ）に示す方法に比べて著しく視認性が向上している。
【００５８】
図５（ｂ）に示す例では、画像全体に背景色を付加しているが、本発明はこれに限定されるものではない。すなわち、全体でなく例えば画像周辺に枠をつける処理や点滅させる処理、色ではなく模様を付加することにより、つまり、背景色の一部を変更することにより、識別してもよい。
【００５９】
次に、サムネイル画像の表示方法を説明する。図６（ａ）は、属性判定部を有する操作表示装置内の構成を示し、（ｂ）は、属性判定部がない操作表示装置内の構成を示す。
【００６０】
図６（ａ）に示す操作表示装置１１０は、後述する属性判定部４０１、画像編集部４０２、画像表示部４０３により構成される。図６（ｂ）に示す操作表示装置１１０は、画像編集部４０２、画像表示部４０３により構成される。
【００６１】
属性判定部４０１は、手書き判定部、原稿サイズ判定部、白紙判定部からなる。手書き文字か否かの判別方法は、公知の手法を用いる（例えば、特開２００６−２３４５号公報を参照：２値画像から文字の特徴量を算出し、その算出結果を基に活字／手書き文字に分離し、分離した各文字を認識処理する）。また、原稿サイズの判別方法（例えば、特開２００６−６７３３０号公報を参照：撮像領域内に設定した、複数の検知位置における原稿の有無を判定することにより、原稿のサイズを検知する）、白紙検知の判別方法も公知の手法を用いる（例えば、特開２００７−７４２７０号公報を参照：画像を分割した小ブロックが有色ブロックか否かを判定し、大ブロックにおける有色ブロック数が所定値に満たないとき白紙の画像と判定する）。
【００６２】
画像編集部４０２における画像編集の一例として、公知の手法である背景色付加の方法を用いる（例えば、特開２００４−２０１０２０号公報を参照：画像の各画素に重み付けを行いながらカラーヒストグラムを作成し、カラーヒストグラムを基に背景色を決定する）。
【００６３】
属性判定部４０１を持たない図６（ｂ）の構成では、以下のようにして操作表示装置に一覧表示を行う。画像が手書き文書画像であるか否かなどの属性情報は、蓄積装置に蓄積される前、つまり第１の画像処理部１０２が手書き文書画像であるか否かを判定し、その判定結果を付帯情報に含めることが可能であり、操作表示装置に一覧を表示する際に、その付帯情報を参照し、前述した背景色付加機能を使用し、背景色を付加して表示する。図６（ｂ）のように構成する場合には、従来のＭＦＰを構成している機能を利用することができる。図６のように構成することで、実際に蓄積されている画像に対しては画像編集を行わずに、サムネイル表示画像に対してのみ画像編集を行うことが可能である。
【００６４】
図７は、実施例１の操作表示装置の処理手順を示す。操作表示装置１１０の指示により、ＨＤＤ１０５に蓄積された画像データを選択する（ステップ５０１）。選択された画像に対し、属性判定部４０１は、前述した属性を判定し、判定結果が例えば手書き文書画像である場合は（ステップ５０２でＹｅｓ）、所定の画像編集（手書き文書画像に対して背景色を付加）を行い（ステップ５０３）、Ｎｏの場合は画像編集を行わない。その後、編集された画像（または編集されていない画像）の一覧表示を行う（ステップ５０４）。
【実施例２】
【００６５】
実施例２は、背景色を変更する実施例である。実施例２の処理では、例えば、文書中に赤文字があり画像編集処理において背景色が赤と決定された場合は、その背景色を赤以外とし、また、文書自体の背景色が赤であり、画像編集処理において背景色が赤の場合は、その背景色を赤以外とする処理を行い、この処理により視認性が向上し、見やすいサムネイル表示が可能となる。
【００６６】
図８は、実施例２の操作表示装置内の構成を示し、図６（ａ）の構成に、色相判定部４０４を追加している。色相の判別方法としては、公知の手法を用いる（例えば、特開昭５３−１４５６２１号公報を参照：３色濃度のうち２色を組み合わせたものを軸とする直交座標系を用いて所定の領域を多角形で定義し、画面の各点の色相がこの領域内に含まれるか否かを複数の条件式を用いて判定する）。
【００６７】
実施例２において、画像編集部４０２が背景色を付加するときの色について説明する。図９（ａ）は、色相判定部４０４が参照する背景色決定テーブルを示す。実施例１の背景色は任意の色であるが、実施例２の背景色は、ユーザーまたは設計者が予め準備した背景色決定テーブルの優先度により決定される。優先度は、例えば、彩度が高い順や、視認しやすい順に配列するが、本発明はこれに限定されない。
【００６８】
色相判定部４０４では、原稿画像の色相情報と、画像編集部４０２において付加する背景色の色相情報とを比較する。色相情報の比較は、色差や明度で比較するが本発明はこれに限定されない。その比較の結果、原稿画像の色相情報と、付加する背景色の色相情報が同一と判定された場合、図９（ａ）の背景色決定テーブルを参照して、次の優先度の背景色を採用する。そして、この処理を、同一の属性と判定された全ての文書について、その背景色を統一する処理を行う。例えば、図６（ｂ）の例では、手書き文書画像の文字が赤文字で背景色と一致したとき、サムネイル０２、０８の背景色がグリーン（優先度２）に変更される。
【００６９】
図１０は、実施例２の操作表示装置の処理手順を示す。操作表示装置１１０の指示により、ＨＤＤ１０５に蓄積された画像データを選択する（ステップ６０１）。選択された画像に対し、属性判定部４０１は、前述した属性（手書き文書画像か否か）を判定し、判定結果がＮｏの場合は画像編集を行なわずに画像を表示する（ステップ６０６）。Ｙｅｓ（手書き文書画像）の場合は、色相判定部４０４は、原稿の色相を判定し、原稿の色相と背景色の色相を比較し、同一と判定された場合（ステップ６０４でＹｅｓ）は、図９（ａ）の背景色決定テーブルを参照して、背景色を決定し、画像編集部４０２は、背景色を決定された背景色に変更して、所定の画像編集を行い（ステップ６０５）、色相の比較の結果、同一と判定されない場合（Ｎｏ）は、背景色を変更せずに所定の画像編集を行い（ステップ６０７）、画像の表示を行う（ステップ６０６）。その後、別の画像データに対しも同様の処理を行い、編集された画像（または編集されていない画像）の一覧表示を行う（ステップ６０６）。
【００７０】
なお、図６（ｂ）と同様に、画像が手書き文書画像であるか否かなどの属性情報、原稿の色相に関する属性情報は、蓄積装置に蓄積される前、つまり第１の画像処理部１０２が判定を行い、その判定結果を付帯情報に含めることが可能であり、操作表示装置に一覧を表示する際に、その付帯情報を参照し、前述した背景色付加機能を使用し、背景色を付加して表示する。図６（ｂ）と同様に構成することで、従来のＭＦＰを構成している機能を利用することができる。
【実施例３】
【００７１】
実施例１、２の画像編集では、属性（手書き文字か否か、原稿サイズが所定のサイズであるか否か、原稿が白紙であるか否か）に応じた処理を施しているが、属性は上記したものに限定されず、他の属性でもよい。また、属性の判定は上記した３種類を同時に行う構成を採ってもよい。その場合、背景色の種類が多くなり（あるいは背景色の種類が所定数（例えば、３種類以上）を超える場合）、属性と背景色との対応関係が分かり難くなる。そこで、実施例３では、図９（ｂ）に示すように、属性と背景色との対応関係を表すテーブルを、サムネイル一覧の空いたスペースに表示する（例えば、手書き文書は赤、原稿サイズＡ３は緑など）。これにより、一見して色が何を表しているのか把握し易くなる。
【００７２】
なお、上記した実施例１〜３において、各種判定や比較、編集動作は、自動で行うシステム、ユーザーや設計者が手動で行うシステムの何れでもよい。
【００７３】
本発明は、前述した実施例の機能を実現するソフトウェアのプログラムコードを記録した記憶媒体を、システムあるいは装置に供給し、そのシステムあるいは装置のコンピュータ（ＣＰＵやＭＰＵ）が記憶媒体に格納されたプログラムコードを読出し実行することによっても達成される。この場合、記憶媒体から読出されたプログラムコード自体が前述した実施例の機能を実現することになる。プログラムコードを供給するための記憶媒体としては、例えば、ハードディスク、光ディスク、光磁気ディスク、不揮発性のメモリカード、ＲＯＭなどを用いることができる。また、コンピュータが読出したプログラムコードを実行することにより、前述した実施例の機能が実現されるだけでなく、そのプログラムコードの指示に基づき、コンピュータ上で稼働しているＯＳ（オペレーティングシステム）などが実際の処理の一部または全部を行い、その処理によって前述した実施例の機能が実現される場合も含まれる。さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施例の機能が実現される場合も含まれる。また、本発明の実施例の機能等を実現するためのプログラムは、ネットワークを介した通信によってサーバから提供されるものでも良い。
【符号の説明】
【００７４】
１０１  読取り装置
１０２  第１の画像処理部
１０３  バス制御装置
１０４  第２の画像処理部
１０５  ＨＤＤ
１０６  ＣＰＵ
１０７  メモリ
１０８  プロッタＩ／Ｆ装置
１０９  プロッタ装置
１１０  操作表示装置
１１１  回線Ｉ／Ｆ装置
１１２  外部Ｉ／Ｆ装置
１１３  Ｓ．Ｂ．
１１４  ＲＯＭ
１１５  汎用バス
１１６  ＦＡＸ
１１７  ＰＣ
１１８  外部メディア
【先行技術文献】
【特許文献】
【００７５】
【特許文献１】特開２００６−０７９４２４号公報
【特許文献２】特開２００４−０４６８８２号公報
【特許文献３】特許第３２３４１４８号公報
【図１】
2011254138.tif 000003
【図２】
2011254138.tif 000004
【図３】
2011254138.tif 000005
【図４】
2011254138.tif 000006
【図５】
2011254138.tif 000007
【図６】
2011254138.tif 000008
【図７】
2011254138.tif 000009
【図８】
2011254138.tif 000010
【図９】
2011254138.tif 000011
【図１０】
2011254138.tif 000012
【手続補正書】
【提出日】平成22年6月8日(2010.6.8)
【手続補正１】
【補正対象書類名】図面
【補正対象項目名】図５
【補正方法】変更
【補正の内容】
【図５】
2011254138.tif 000013